(57)【特許請求の範囲】
【請求項１】
内容物の注出を可能とする注出筒と、該注出筒を取り囲むとともに容器の口部に嵌合される嵌合筒と、前記嵌合筒の上部に設けられた環状壁と、前記嵌合筒に連結されるとともに該嵌合筒の周りを取り囲む筒体とを有し前記嵌合筒を前記容器の口部に打栓、嵌合させることで該口部に固定保持されるベース、並びに前記ベースを閉塞するキャップを備える注出栓であって、
前記キャップは、前記ベースを閉塞した状態にて前記注出筒の周りを取り囲むとともに前記環状壁の上面に当接する周壁を有し、
前記周壁は、その下端部に、前記キャップで前記ベースを閉塞した状態にて前記筒体の上端部に内側から当接する傾斜面を有し、
前記周壁の下端部には、前記キャップで前記ベースを閉塞した状態にて前記嵌合筒と前記筒体との間に入り込む突部が該周壁と一体に設けられ、
前記傾斜面は、前記突部に形成されていることを特徴とする注出栓。
【請求項２】
前記筒体は、その上端部に前記傾斜面に適合する傾斜面を有する、請求項１に記載の注出栓。
【請求項３】
前記周壁の傾斜面は、該周壁に沿って連続して形成されてなる、請求項１または２に記載の注出栓。
【請求項４】
前記ヒンジと対向する前側にて嵌合筒と筒体とを破断不能に連結する連結片と、前記前側を除く部分にて筒体の引き起こしにより嵌合筒と筒体とを破断可能に連結する弱化片とを有する、請求項１〜３のいずれか一項に記載の注出栓。
【発明の詳細な説明】
【技術分野】
【０００１】
この発明は、容器の口部に装着されて容器内の内容物の適量注出を可能とする注出栓に関し、特に成形による製品の変形やひずみ、打栓に起因する製品の形状不良を防止しようとする技術に関する。
【背景技術】
【０００２】
醤油やドレッシング等の調味材を入れる容器は、その口部に内容物の適量注出を可能とする注出栓が装着されており、容器内の内容物を使い切るまでの間はねじ込み式あるいは嵌合式のキャップを注出栓に適合させて容器を密封状態に保持するようになっている。
【０００３】
このような容器に適用される注出栓としては、従来、例えば図５に示すような構造の注出栓１００が提案されている。この注出栓１００は、容器の口部に嵌合、保持されるベース１０２とこのベース１０２にヒンジ１０３を介して開閉可能に連結されたキャップ１０４とからなり、ベース１０２には、容器口部に嵌合する嵌合筒１０８の周りを取り囲むように筒体１１０が設けられている。
【先行技術文献】
【特許文献】
【０００４】
【特許文献１】特開２００８−１８４２０７号公報
【発明の概要】
【発明が解決しようとする課題】
【０００５】
しかしながら、このような筒体１１０は、打栓時に嵌合筒１０８が容器の口部外壁面に形成された係合用の凸部を乗り越える際にいびつに変形したり、また成形による変形やひずみが発生したりすることがあり、外観形状（見栄え）が損なわれるといった懸念があった。
【０００６】
それゆえ、この発明は、容器の口部に嵌合する嵌合筒の周りに筒体が設けられた注出栓につき、成形による製品の変形やひずみ、打栓に起因する製品の形状不良を防止することのできる注出栓を提供することをその目的とするものである。
【課題を解決するための手段】
【０００７】
この発明は、上記課題を解決するためになされたものであり、この発明の注出栓は、内容物の注出を可能とする注出筒と、該注出筒の周りと取り囲むとともに容器の口部に嵌合される嵌合筒と、前記嵌合筒の上部に設けられた環状壁と、前記嵌合筒に連結されるとともに該嵌合筒の周りを取り囲む筒体とを有し前記嵌合筒を前記容器の口部に打栓、嵌合させることで該口部に固定保持されるベース、並びに前記ベースを閉塞するキャップを備える注出栓であって、前記キャップは、前記ベースを閉塞した状態にて前記注出筒の周りを取り囲むとともに前記環状壁の上面に当接する周壁を有し、前記周壁は、その下端部に、前記キャップで前記ベースを閉塞した状態にて前記筒体の上端部に内側から当接する傾斜面を有し、前記周壁の下端部には、前記キャップで前記ベースを閉塞した状態にて前記嵌合筒と前記筒体との間に入り込む突部が該周壁と一体に設けられ、前記傾斜面は、前記突部に形成されていることを特徴とするものである。
【０００８】
かかる構成を有する注出栓にあっては、キャップでベースを閉塞した状態では、周壁の傾斜面が筒体の上端部にその内側から当接し筒体上部を押さえつけるので、打栓時に嵌合筒が容器の口部に嵌合するのに伴って変形してもこれに起因した筒体の変形は周壁の傾斜面によって抑制される。つまり、筒体の上端部の内側角部に周壁の下端部に形成された傾斜面を当接させて打栓時の筒体の変形を拘束するようにしたので、筒体が大きく変形したりいびつに変形したりすることはない。また、この発明によれば打栓時のみならず、キャップを閉めた際にも同様に筒体の変形を拘束することができる。
【０００９】
したがって、この発明の注出栓によれば、容器の口部に嵌合される嵌合筒の周りに筒体が設けられた注出栓につき、打栓に起因する製品の形状不良を防止することができる。
【００１０】
なお、この発明の注出栓にあっては、前記筒体は、その上端部に前記傾斜面に適合する傾斜面を有することが好ましい。
【００１１】
また、この発明の注出栓にあっては、前記周壁の傾斜面は、該周壁に沿って連続して形成されてなることが好ましい。
【００１２】
さらに、この発明の注出栓にあっては、前記ヒンジと対向する前側にて嵌合筒と筒体とを破断不能に連結する連結片と、前記前側を除く部分にて筒体の引き起こしにより嵌合筒と筒体とを破断可能に連結する弱化片とを有することが好ましい。
【発明の効果】
【００１３】
この発明の注出栓によれば、容器の口部に嵌合する嵌合筒の周りに筒体が設けられた注出栓につき、成形による製品の変形やひずみ、打栓に起因する製品の形状不良を防止することができる。
【図面の簡単な説明】
【００１４】
【図１】（ａ）は、この発明にしたがう実施形態の注出栓の断面図を示し、（ｂ）はその要部を示す断面図である。
【図２】図１（ａ）のＡ−Ａ線に沿う断面を示す断面図である。
【図３】図１の注出栓を容器の口部から取り外す手順を説明する斜視図である。
【図４】（ａ）、（ｂ）はそれぞれこの発明にしたがう他の実施形態の注出栓を示す、図１（ｂ）と同様の部位での断面図である。
【図５】従来の注出栓を示す断面図である。
【発明を実施するための形態】
【００１５】
以下、この発明の注出栓の実施形態を図面を参照して説明する。
【００１６】
図１、２に示すように、この実施形態の注出栓１は、容器の口部（図示省略）に打栓、嵌合することで該口部に固定保持されるベース２と、該ベース２にヒンジ３を介して開閉可能に連結され容器を密封状態に保持するキャップ４とを備える。
【００１７】
ベース２は、開栓により、容器内の内容物の注出を可能とする注出筒６と、該注出筒６を取り囲むように一体に連結されその相互間に下向きに開放された環状溝ｍを形成する同心二重配置の内筒７及び嵌合筒８と、嵌合筒８の上部に設けられた環状壁９と、嵌合筒８の下端に破断可能に連結されるとともに該嵌合筒８の周りを取り囲む筒体１０とを有しており、上記環状溝ｍに容器の口部がアンダーカットのような係合手段（嵌合筒８の凸部８ａと口部の凸部（図示省略）が係合するもの）にて抜け止めされた状態で嵌合するようになっている。なお、嵌合筒８と筒体１０との間には、打栓時に嵌合筒８がスムーズに容器口部を乗り越えられるようすき間ｓが設けられているが、このすき間ｓは無くてもよい。
【００１８】
注出筒６の内側には、注出経路ｒを閉塞する閉塞壁１２が設けられており、この閉塞壁１２に支柱１３ａを介してつながるプルリング１３の引き起こしにより該閉塞壁１２を破断予定溝１４に沿って引きちぎることにより注出経路ｒを開放することができるようになっている。なお、プルリング１３によって引きちぎられる閉塞壁１２に代えてシール状の閉塞部材（図示省略）にて注出経路ｒを閉塞するようにしてもよい。
【００１９】
筒体１０と嵌合筒８とは、前側（ヒンジ３が設けられている側とは反対側）の下端にて破断不能な連結片１５を介して連結される一方、それ以外の部分にて周方向の複数個所において弱化片１６によって一体連結されている。この弱化片１６は薄肉片からなっており、小さな力でもって簡単に引きちぎることができるようになっている。このような注出栓１は、図３（ａ）に示すように、先ず開放姿勢としたキャップ４を把持して引上げると、この操作により、ヒンジ３側から順次周方向に沿って筒体１０が嵌合筒８からの破断を伴いつつ引き起こされていき、図３（ｂ）に示すように、筒体１０が上記前側のみ嵌合筒８に連結された状態となった後、キャップ４を強く引上げる。これにより、筒体１０の前側から周方向に沿って嵌合筒８と容器口部とのアンダーカット係合が連鎖的に解除されていき、該係合が半周以上解除されたところで、注出栓１は容器の口部から取り外される。このように、筒体１０をその下端の前側に設けた連結片１５を支点にして引き起こし可能とすることにより、注出栓１の容器の口部に対する嵌合力を小さくして注出栓１の取り外しを容易に行うことができる。
【００２０】
キャップ４は、天面壁１７と、この天面壁１７の縁部に一体的につながり、ベース２を閉塞した状態にて注出筒６を取り囲むとともに環状壁９の上面に当接する周壁１８とを有しており、天面壁１７の下面には、キャップ４を閉じた際に注出筒６の内周面に嵌合してシールする内周壁１９が設けられている。ここでは、図１（ｂ）に示すように、周壁１８の内壁面に環状凸部１８ａを形成するとともに、この環状凸部１８ａに適合する環状凹部９ａをベース２の環状壁９の外壁面に形成し、環状凸部１８ａを環状凹部９ａに嵌合させることでキャップ４をベース２に装着、固定する例を示すが、環状壁９の外壁面にねじ部を形成するとともにキャップ４の周壁１８内壁面にこのねじ部に適合するねじ部を形成することにより、キャップ４をベース２に螺着するようにしてもよい（図示省略）。
【００２１】
また、キャップ４の周壁１８には、その下端部に、キャップ４をベース２に被せた（装着した）状態にて、ベース２の嵌合筒８と筒体１０との間に入り込む突部２０が一体に設けられており、この突部２０には筒体１０の上端部に内側から当接し、すなわち筒体１０の上端部の内側角部１０ａに当接し打栓時における筒体１０の形状変形を抑制する傾斜面２０ａが形成されている。さらに、この実施形態では、筒体１０の上端部には、周壁１８の傾斜面２０ａに適合する傾斜面１０ａ１が形成されている。図示の例では、周壁１８の下端面１８ｂと筒体１０の上端面１０ｂとは当接しているが、これらは離間していてもよい。また、この例では、周壁１８の傾斜面２０ａは周壁１８に沿って連続する環状のものとして形成されている。
【００２２】
かかる構成になる注出栓１は、キャップ４をベース２に被せた状態、すなわちキャップ４の周壁１８がベース２の環状壁９の上面に当接して停止した状態では、嵌合筒８と筒体１０との間にキャップ４の周壁１８に形成された突部２０が入り込み、該突部２０の傾斜面２０ａが筒体１０の上端部の内側角部１０ａに当接するため、打栓時に嵌合筒８が容器口部を乗り越えようとして変形してもこの変形に起因する筒体１０の変形は、周壁１８の傾斜面２０ａによって抑制される。つまり、筒体１０の上端部の内側角部１０ａに周壁１８の下端部に形成された傾斜面２０ａを当接させて打栓時の筒体１０の上端部の変形を拘束するようにしたので、筒体１０が大きく変形したりいびつに変形したりすることはない。また、この注出栓１によれば、打栓時のみならず、キャップ４を閉めた際にも同様に、筒体１０の変形を拘束することができる。なお、キャップ４の周壁１８の傾斜面２０ａやベース２の筒体１０の傾斜面１０ａは、全周に設けなくてもよく、周方向に間隔を空けて設けてもよい。また、少なくともキャップ４の周壁１８に傾斜面２０ａが設けられていれば、筒体１０の変形を抑えることができるため、ベース２の筒体１０に傾斜面１０ａを設けなくてもよい。
【００２３】
また、この実施形態にあっては、周壁１８の傾斜面２０ａを周方向に連続して形成したことから、筒体１０の変形を周方向に亘ってより均一に抑制することができる。
【００２４】
さらに、この実施形態にあっては、筒体１０の上端部に周壁１８の傾斜面２０ａに適合する傾斜面１０ａ１を形成したことから、周壁１８の傾斜面２０ａと筒体１０上端部の傾斜面１０ａ１とを面接触させて、これらを点接触させる場合と比べて筒体１０の変形をより強固に抑制することが可能となる。
【００２５】
しかも、この実施形態にあっては、ヒンジ３と対向する前側にて嵌合筒８と筒体１０とを連結片１５により破断不能に連結するとともに、前側を除く部分にて嵌合筒８と筒体１０とを弱化片１６により筒体１０の引き起こしにより破断可能に連結したことから、容器の口部から容易に取り外すことができ、分別収集に適した注出栓を提供することが可能となる。
【００２６】
以上、図示例に基づき説明したが、この発明は上述の実施形態に限定されるものでなく、特許請求の範囲の記載範囲内で適宜変更することができるものである。例えば、筒体１０の上端部は、図４（ａ）に示すように、内側角部１０ａをアール（湾曲）形状としたり、あるいは図４（ｂ）に示すように直角（端面１０ｂを平面）としたりしてもよい。
【産業上の利用可能性】
【００２７】
かくしてこの発明によって、容器の口部に嵌合する嵌合筒の周りに筒体が設けられた注出栓につき、成形による製品の変形やひずみ、打栓に起因する製品の形状不良を防止することのできる注出栓を提供することが可能となった。
【符号の説明】
【００２８】
１  注出栓
２  ベース
３  ヒンジ
４  キャップ
６  注出筒
７  内筒
８  嵌合筒
９  環状壁
１０  筒体
１８  周壁
２０  突部
２０ａ  傾斜面
【図１】
0005868579.tif 000002
【図２】
0005868579.tif 000003
【図３】
0005868579.tif 000004
【図４】
0005868579.tif 000005
【図５】
0005868579.tif 000006